(57)【特許請求の範囲】
【請求項１】
箱型でありかつ前面に投函口を有する本体部と、
前記投函口を塞ぐように前記本体部に装着されるフラップと、
前記投函口の周囲から前方に突出するように、前記本体部の前記前面に装着される口枠部と、を具備し、
前記口枠部は、前記口枠部の内側に位置しかつ前面の少なくとも一部を表札面とした横長部材を備え、前記口枠部を前記本体部に装着した状態で、前記横長部材と前記本体部の間に、排水スペースが形成されるように設けたものであり、
前記排水スペースは、前記投函口の前斜め下方に位置し、
前記口枠部は、前記排水スペースと連通するように前記口枠部の内側の左右の下角部に形成された排出口と、前記排水スペースを流下する水を左右の前記排出口に導く傾斜面を備え、
前記排水スペースに流下した雨水が、左右の前記排出口を通じて前記口枠部の下枠上に排水されるように設けたことを特徴とする郵便受け。
【請求項２】
前記口枠部は、前記排水スペース内に突出する突起体をさらに備えることを特徴とする請求項１に記載の郵便受け。
【請求項３】
前記口枠部の内側の上部領域に装着される照明ユニットを、さらに具備し、
前記照明ユニットは、前記口枠部の内側の下部領域に向けて光を照射するように構成されていることを特徴とする請求項１又は２に記載の郵便受け。
【発明の詳細な説明】
【技術分野】
【０００１】
本発明は、郵便受けに関する。
【背景技術】
【０００２】
特許文献１には、郵便受箱が記載されている。この郵便受箱は、郵便受箱本体を備え、該郵便受箱本体に、前方に突出するように口金を取り付けている。口金の前端が、郵便物を投入する投入口である。
【０００３】
この郵便受箱では、前方に突出する口金に、投入口を開閉自在に塞ぐ投入口蓋を設けている。
【先行技術文献】
【特許文献】
【０００４】
【特許文献１】実公平４−５１６４２号公報
【発明の概要】
【発明が解決しようとする課題】
【０００５】
特許文献１に記載された郵便受箱では、口金に設けた投入口蓋が雨水に晒されやすく、投入口蓋に雨水が付着しやすい。このため、投入口蓋に付着した雨水が投函物を濡らしやすいという問題がある。
【０００６】
本発明は、上記事情に鑑みてなされたものであり、その目的とするところは、投函物が雨水に濡れることを口枠部とフラップで抑え、さらに、口枠部の内側に浸入した雨水を円滑に排出することができる郵便受けを提供することにある。
【課題を解決するための手段】
【０００７】
上記課題を解決するために、本発明を、下記構成を具備する郵便受けとする。
【０００８】
本発明は、箱型でありかつ前面に投函口を有する本体部と、前記投函口を塞ぐように前記本体部に装着されるフラップと、前記投函口の周囲から前方に突出するように、前記本体部の前記前面に装着される口枠部と、を具備する郵便受けである。
【０００９】
前記口枠部は、前記口枠部の内側に位置する横長部材を備え、前記口枠部を前記本体部に装着した状態で、前記横長部材と前記本体部の間に、排水スペースが形成されるように設けたものである。前記排水スペースは、前記投函口の前斜め下方に位置する。
【発明の効果】
【００１０】
本発明は、投函物が雨水に濡れることを口枠部とフラップで抑え、さらに、口枠部の内側に浸入した雨水を円滑に排出することができるという効果を奏する。
【図面の簡単な説明】
【００１１】
【図１】一実施形態の郵便受けの使用状態を示す概略正面図である。
【図２】一実施形態の郵便受けの斜視図である。
【図３】一実施形態の郵便受けの使用状態の要部断面図である。
【図４】一実施形態の郵便受けが備える口枠部の斜視図である
【図５】一実施形態の郵便受けの他の使用状態を示す概略正面図である。
【発明を実施するための形態】
【００１２】
図１には、一実施形態の郵便受けの使用状態を示している。この使用状態では、建物の外構９を形成する門柱９０に、郵便受けを埋め込んでいる。
【００１３】
図２に示すように、本実施形態の郵便受けは、箱型の形状を有する本体部１と、本体部１の前面１ａに固定される口枠部２とを備える。口枠部２は、本体部１から前方に突出する。
【００１４】
箱型の本体部１は、前板１０、天板１１、一対の側板１２，１２、底板１３及び背板１４を備える。本体部１の前面１ａは、前板１０の表面である。
【００１５】
前板１０には、前後方向に貫通する投函口１００を設けている。投函口１００は、左右方向に細長い形状を有する。前板１０の後側には、投函口１００を開閉自在に塞ぐようにフラップ３を装着している。
【００１６】
背板１４には、開閉扉を設けている。該開閉扉を開くことで、投函口１００を通じて本体部１に投函された郵便物等の投函物を取り出すことができる。
【００１７】
口枠部２は、本体部１が有する前板１０の上部に、ネジ等を用いて固定される。
【００１８】
口枠部２は、図２等に示すように、上端に位置する上枠２０、左右方向の両端に位置する一対の側枠２１，２１及び下端に位置する下枠２２を有する。これら各枠２０，２１，２１，２２が一連につながることで、口枠部２は、前後方向に開口する角筒状の外形を有する。
【００１９】
本体部１に口枠部２を固定した状態において、口枠部２の上枠２０の上面は、本体部１の天板１１の上面と面一であり、口枠部２の各側枠２１の外側面は、本体部１の側板１２の外側面と面一である。
【００２０】
本体部１に固定された口枠部２は、正面視において、投函口１００の全体を囲んで位置する開口部２３を有する。開口部２３は、左右方向に長い矩形状に開口した部分であり、投函口１００に対して前後方向に連通する。
【００２１】
さらに、口枠部２の内側の上部領域には、照明ユニット４を設置するための照明設置構造を設けている。前記上部領域は、口枠部２を本体部１に固定した状態において、本体部１の投函口１００よりも上方（即ち、投函口１００の前斜め上方）に位置する領域である。
【００２２】
照明ユニット４は、図３に示すように、発光ダイオードである光源４０と、光源４０が発する光を入射させた後に下方に向けて出射する棒状の導光体４１と、導光体４１を覆うケース４２とを備える。
【００２３】
導光体４１は、左右方向に長い透光性の棒状部材であり、導光体４１の上方を向く面が拡散面４１１であり、導光体４１の下方を向く面が出射面４１２である。ケース４２には、底壁の一部を切り欠いた形状の照明窓４２０を設けている。照明窓４２０は、導光体４１が有する出射面４１２の下方に位置する。照明ユニット４の出射面４１２と照明窓４２０は、正面視において、投函口１００よりも上方に位置する。
【００２４】
さらに、口枠部２の内側の下部領域には、口枠部２の左右方向の全長に亘って、横長部材２５を設けている。前記下部領域は、口枠部２を本体部１に固定した状態において、本体部１の投函口１００よりも下方（即ち、投函口１００の前斜め下方）に位置する領域である。
【００２５】
横長部材２５は、口枠部２の左右方向の全長に亘って位置する縦板２５０と、縦板２５０の上端から後方に延設される上板２５１と、縦板２５０の下端を口枠部２の下枠２２に連結させる連結板２５２とを、一体に有する。
【００２６】
縦板２５０は、口枠部２の内側において、前後方向の中間領域（少なくとも前端部と後端部を除いた領域）に位置する。縦板２５０の左右方向の両端は、口枠部２が備える一対の側枠２１，２１に対して、それぞれ一体に連結する。
【００２７】
縦板２５０の前面は、氏名等を表示する表札面２５０ａである。氏名等は、表札面２５０ａに直接的に表示してもよいし、氏名等が記載されたプレートを表札面２５０ａに固定してもよい。
【００２８】
なお、縦板２５０の前面の全部が表札面２５０ａでなくてもよい。つまり、縦板２５０の前面の一部を表札面２５０ａとし、縦板２５０の前面の他の一部を、インターホン子機等の他の機器の設置面として利用することも可能である。
【００２９】
上板２５１の上面は、本体部１が備える投函口１００の下端縁と、略同一の高さに位置する。上板２５１は、口枠部２を通じて投函する投函物を、投函口１００にまで円滑にガイドする機能を有する。
【００３０】
上板２５１の後端縁は、口枠部２の各枠２０，２１，２１，２２の後端縁よりも、前方に位置する。口枠部２を本体部１に固定した状態において、上板２５１と本体部１との間には、左右方向に細長いスリット状の導入口２６が形成される（図３参照）。
【００３１】
連結板２５２は、左右方向において縦板２５０よりも短い寸法を有する（図４参照）。即ち、連結板２５２は、口枠部２の左右方向の全長に亘っては位置しない。連結板２５２の左右方向の一端と、これに隣接する側枠２１との間には、排出口２７が形成される。同様に、連結板２５２の左右方向の他端と、これに隣接する側枠２１との間には、別の排出口２７が形成される。
【００３２】
口枠部２を本体部１に固定した状態において、横長部材２５と本体部１との間には、排水スペースＳ１が形成される。排水スペースＳ１は、投函口１００の前斜め下方に位置する。
【００３３】
排水スペースＳ１の上端（上流端）は導入口２６に連通し、排水スペースＳ１の下端（下流端）は、一対の排出口２７，２７に連通する。
【００３４】
口枠部２内に浸入して横長部材２５を乗り越えた雨水は、導入口２６を通じて排水スペースＳ１内に流下し、排出口２７，２７を通じて下枠２２上に排水される。下枠２２の上面は、前斜め下方に傾斜しており、雨水は下枠２２の上面を伝って口枠部２の外に排出される。
【００３５】
ここで、本実施形態の口枠部２は、縦板２５０の後方に複数の突起体２５３，２５３…と、導水板２５４をさらに備えている。
【００３６】
図４に示すように、複数の突起体２５３，２５３…は、左右方向に間隔をあけて一列に並設されており、それぞれの上端が上板２５１に対して一体に連結している。言い換えると、複数の突起体２５３，２５３…は、上板２５１の下面からそれぞれ下方に延設された形状である。
【００３７】
また、複数の突起体２５３，２５３…のそれぞれの前端は、縦板２５０の後面に対して一体に連結している。言い換えると、複数の突起体２５３，２５３…は、縦板２５０の後面の上端部からそれぞれ後方に延設された形状である。
【００３８】
複数の突起体２５３，２５３…の各後端は、上板２５１の後端よりも後方に位置し、口枠部２を本体部１に固定した状態において、本体部１の前面１ａに当接又は近接する。複数の突起体２５３，２５３…の各後端部は、排水スペースＳ１内において導入口２６の下方に位置する。これにより、散らし広告等の投函物が排水スペースＳ１に誤って侵入するという事態が抑制される。
【００３９】
導水板２５４は、左右方向の中央部分が最も高い略へ字状の形状を有し、その上面が、排水スペースＳ１を流下する水を左右方向に導く傾斜面２５４ａである。
【００４０】
導水板２５４の前端は、縦板２５０の後面に対して一体に連結している。言い換えると、導水板２５４は、縦板２５０の後面から後方に延設された形状である。
【００４１】
導水板２５４の後端は、上板２５１の後端よりも後方に位置し、口枠部２を本体部１に固定した状態において、本体部１の前面１ａに当接する。導水板２５４は、導入口２６や複数の突起体２５３，２５３…のさらに下方に位置し、導入口２６を通じて流下した水を傾斜面２５４ａで受け、傾斜面２５４ａを伝わせながら左右方向に導く。
【００４２】
さらに詳しく述べると、導水板２５４は、最も高い中央部分を境として左右方向に区分けすることができる。導水板２５４のうち、左右方向に区分けされた一方が、下り傾斜の傾斜面２５４ａを通じて一方の排出口２７にまで導く部分であり、左右方向に区分けされた他方が、下り傾斜の傾斜面２５４ａを通じて他方の排出口２７にまで導く部分である。
【００４３】
本実施形態の郵便受けは、前記した各構成を具備するものであるから、雨水が投函口１００を通じて本体部１に浸入することを口枠部２とフラップ３で効果的に抑え、フラップ３が濡れることも抑えることができる。さらに、口枠部２の内側に浸入した雨水を、横長部材２５の後方に位置する排水スペースＳ１を通じて流し、口枠部２の内側の下角部にある排出口２７，２７を通じて、口枠部２外に円滑に排水することができる。
【００４４】
また、照明ユニット４は、口枠部２の内側の下部領域に向けて光を照射するので、横長部材２５にある表札面２５０ａを照らすだけでなく、郵便受けが設置される箇所周辺の地面を照らす足元灯としても機能する。
【００４５】
図５には、本実施形態の郵便受けの他の使用状態を示している。この使用状態では、本体部１をポール７上に設置している。ポール７は上下方向に長く、ポール７の下端は地面８に埋め込んでいる。
【００４６】
この使用状態においても、本実施形態の郵便受けによれば、雨水が本体部１に浸入することやフラップ３が濡れることを抑え、さらに、横長部材２５の後方に設けた排水スペースＳ１を通じて、雨水を口枠部２外にまで円滑に排水することができる。また、照明ユニット４によって横長部材２５にある表札面２５０ａを照らすだけでなく、地面８を照らすこともできる。
【００４７】
以上、添付図面に基づいて説明したように、本実施形態の郵便受けは、以下の構成を具備する。
【００４８】
つまり、本実施形態の郵便受けは、箱型でありかつ前面１ａに投函口１００を有する本体部１と、投函口１００を塞ぐように本体部１に装着されるフラップ３と、投函口１００の周囲から前方に突出するように本体部１の前面１ａに装着される口枠部２を具備する。口枠部２は、口枠部２の内側に位置する横長部材２５を備え、口枠部２を本体部１に装着した状態で、横長部材２５と本体部１の間に、排水スペースＳ１が形成されるように設けたものである。排水スペースＳ１は、投函口１００の前斜め下方に位置する。
【００４９】
そのため、本実施形態の郵便受けでは、投函物が雨水に濡れることを口枠部２とフラップ３によって抑え、さらに、口枠部２の内側にまで浸入した雨水は、横長部材２５の裏側に設けた排水スペースＳ１を通じて、円滑に排出することができる。これにより、投函口１００を通じて本体部１内に投函される投函物が雨水に濡れることを、効果的に抑制することができる。
【００５０】
また、本実施形態の郵便受けにおいて、口枠部２は、排水スペースＳ１内に突出する突起体２５３，２５３…をさらに備える。
【００５１】
そのため、本実施形態の郵便受けでは、散らし広告等の投函物が誤って排水スペースＳ１に侵入するという事態を、侵入した投函物が突起体２５３，２５３…に当たることによって効果的に抑制することができる。
【００５２】
また、本実施形態の郵便受けにおいて、口枠部２は、排水スペースＳ１を流下する水を左右方向に導く傾斜面２５４ａをさらに備える。
【００５３】
そのため、本実施形態の郵便受けでは、横長部材２５の裏側にある排水スペースＳ１内に雨水を流すときに、その雨水を左右方向の端側に集めることができ、雨水を口枠部２の端側から外部に排出することができる。
【００５４】
また、本実施形態の郵便受けは、口枠部２の内側の上部領域に装着される照明ユニット４を、さらに具備する。照明ユニット４は、口枠部２の内側の下部領域に向けて光を照射するように構成されている。
【００５５】
そのため、本実施形態の郵便受けでは、口枠部２の内側を照らして投函を行いやすくすることができ、さらに、足元灯としての機能を果たすことも可能となる。
【００５６】
以上、本発明の実施形態について説明したが、本発明は前記した各実施形態に限定されない。本発明の意図する範囲内であれば、各実施形態において適宜の設計変更を行うことや、各実施形態の構成を適宜組み合わせて適用することが可能である。
【符号の説明】
【００５７】
１        本体部
１ａ      前面
１００    投函口
２        口枠部
２５      横長部材
２５３    突起体
２５４ａ  傾斜面
３        フラップ
４        照明ユニット
Ｓ１      排水スペース
【図１】
0006541053.tif 000002
【図２】
0006541053.tif 000003
【図３】
0006541053.tif 000004
【図４】
0006541053.tif 000005
【図５】
0006541053.tif 000006